(57)【要約】 【課題】  本発明はテレビ台側板の前パネルのダボがテレビ本体の底面のダボ穴と嵌合し、前後に移動する構造を有することにより、テレビ台とテレビ本体とを前から見た外観に一体感が得られるテレビ台を提供することを目的とする。【解決手段】本発明のテレビ台はダボ（１０２）を有する前パネル（１０１）と支持板（２０１、３０１）とから構成され、前パネルの内側にツメ（７０１)を設けることにより前パネルが側板から外れることを防ぐことができる構成となっている。【選択図】図２
2006287840.tif 000002
【特許請求の範囲】
【請求項１】
テレビとテレビ台の組合せであって、
１つ以上のダボを有する前パネルを備えた側板と、
前記ダボと嵌合する１つ以上のダボ用穴を有するテレビ底面と、からなり、
前記側板の支持板は上部の長さが下部の長さより前方向において短く、前記前パネルは可撓性を有し、前記前パネルと前記テレビ底面が一体形成されることを特徴とするテレビ台。
【請求項２】
前記前パネルが側板から外れることを防ぐツメを有する請求項1記載のテレビ台。
【発明の詳細な説明】
【技術分野】
【０００１】
本発明はテレビ本体との一体感が得られる構造を有するテレビ台に関するものである。
【背景技術】
【０００２】
従来、この種のテレビ台としては、例えば、特許文献１に記載されているようなものが
ある。図８、図９は前記特許文献に記載された従来のテレビ台を示している。図８、図９において、テレビ台のガイド壁の間に嵌まり込む短い脚部を有するテレビと、支持壁のガイド壁と後部の支持壁を有するテレビ台と、により構成され、テレビとテレビ台の一体感による美観を向上させる目的のものであった。
【特許文献１】特開２００１−２６８４７７号公報
【発明の開示】
【発明が解決しようとする課題】
【０００３】
しかしながら従来の構成によるとテレビ本体に短い脚部を有し、これにテレビ台に嵌め込む構造となっているため、大型化されればされるほどテレビ台の側板部分とテレビ本体の嵌合部分における誤差により一体感が損なわれる場合があり、その嵌合部分の成形に関してはより高い精度が要求されることとなる。さらに、より薄型で大型化という最近のトレンドの中にあって、テレビ台それ自体のシンプルで美しいデザイン性が求められるようになってきているため、より精度の高い一体感が要求されてきている。
【０００４】
本発明は、上記課題を解決するために、テレビ台側板の前パネルのダボがテレビ本体の底面のダボ穴と嵌合し、前後に移動する構造を有することにより、テレビ本体とテレビ台両者の位置決めのためのより高度な加工精度を必要とすることなく、テレビ台とテレビ本体とを前から見た外観に一体感が得られるテレビ台を安価に提供することを目的とする。
【課題を解決するための手段】
【０００５】
前記従来の課題を解決するため、本発明のテレビ台は、側板の前パネルにダボを設け、このダボがテレビ本体の底面のダボ穴と嵌合し、側板内部の支持板の上部が下部より前方向の長さが短く構成されていることにより側板の前パネルが前後に移動可能となりテレビ台とテレビ本体が一体感を得られることを特徴とする。
【発明の効果】
【０００６】
以上のように、本発明のテレビ台によれば、側板の前パネルが前後に移動可能となりテレビ本体との一体感を得ることができる。
【発明を実施するための最良の形態】
【０００７】
（実施の形態１）
図１は本発明の実施の形態１における、テレビ（１０１）とテレビ台（１０２）の全体図である。テレビ台（１０２）は前パネル（１０４）と側板（１０３）を有する。図２はテレビ台の前パネルの正面図であり、前パネル（２０１）は上部にダボ（２０２）を有している。図３はテレビ台の側板内部、すなわち前パネルを取りはずした時の図である。図４はテレビ台の側板内部の側面図である。支持板（３０１、４０１）は側板としての強度を補強する。テレビとテレビ台の前パネルの固定作業は、図６に示すように前パネル上面のダボ（６０３）とテレビ底面のダボ穴（６０４）を嵌入するようにテレビ（６０１）とテレビ台の前パネル（６０２）とが固定される。また図４に示すように支持板（４０１）は支点（４０３）より上部（４０４）が支点より下部（４０５）に比べて前方向の長さが短く構成されている。このため点線で示される前パネル（４０２）は支持板の支点（４０３）により、前後に可撓性を有する。
従って、かかる構成によれば側板の支持板の上部の長さを前記支持板の下部の長さより前方向において短くすることにより、テレビ本体の底面と嵌合したダボを有する前パネルが前後移動可能となり、テレビ本体に合わせて前パネルが移動するのでテレビ本体とテレビ台の一体感を得ることができる。
【０００８】
なお、本発明の実施の形態１におけるテレビ台の前パネルに有するダボは２つとしているが、パネルの形状により１つ以上であればよい。
またダボの形状を四角形としているが台形や円柱でもよい。
【０００９】
（実施の形態２）
図７は前パネルの裏面の図である。ダボ（６０３、７０１）とテレビ台裏面のダボ穴（６０４）の嵌合と、図４に示すように支持板（４０１）は支点（４０３）より上部（４０４）が支点より下部（４０５）に比べて前方向の長さが短く構成されている。このため点線で示される前パネル（４０２）は支持板の支点（４０３）により、前後に可撓性を有するが、前パネルの内側にツメ（７０１）を設けることにより前パネルが側板から外れることを防ぐことができる。
【００１０】
なお、本実施の形態において、ツメを左右２対としたがパネルの形状により１つ以上であればよい。
【産業上の利用可能性】
【００１１】
本発明にかかるテレビ台は、テレビ本体と一体感を得るテレビ台を提供することができ、テレビ台、家具調台等に有用である。
【図面の簡単な説明】
【００１２】
【図１】本発明のテレビとテレビ台の全体図
【図２】本発明の実施の形態１における側板の前パネルの正面図
【図３】本発明の実施の形態１における側板内部の正面図
【図４】本発明の実施の形態１における側板内部の側面図
【図５】本発明の実施の形態１におけるテレビの底面図
【図６】本発明の実施の形態１におけるテレビ底面（左側）と前パネルの拡大図
【図７】本発明の実施の形態２における前パネルの裏面図
【図８】従来のテレビ台とテレビ本体を分離した状態の正面図
【図９】従来のテレビ台にセットしたテレビ本体の正面図
【符号の説明】
【００１３】
１０１  テレビ
１０２  テレビ台
１０３  側板
１０４  前パネル
２０１  前パネル
２０２  ダボ
３０１  支持板（正面図）
４０１  支持板（側面図）
４０２  前パネル（側面図）
４０３  支点
４０４  支持板（上部）
４０５  支持版（下部）
５０１  テレビ底面のダボ穴
５０２  テレビ正面方向
６０１  テレビ
６０２  前パネル
６０３  ダボ
６０４  ダボ穴
７０１  ツメ
７０２  ダボ
８０１  短い脚部
８０２  ガイド壁  
９０１  短い脚部
９０２  ガイド壁
【図１】
2006287840.tif 000003
【図２】
2006287840.tif 000004
【図３】
2006287840.tif 000005
【図４】
2006287840.tif 000006
【図５】
2006287840.tif 000007
【図６】
2006287840.tif 000008
【図７】
2006287840.tif 000009
【図８】
2006287840.tif 000010
【図９】
2006287840.tif 000011